(57)【要約】【課題】衣類への装着が容易でありながら、ずれを極力抑えることができる胸パッド、および、その胸パッドの装着を容易にする衣類を提供することを目的とする。【解決手段】本考案の胸パッド１００は、衣類２００の胸部の前裏に設ける袋状の収納部２１０に収納される左右一体のカップ部１１０を備え、カップ部１１０は、なだらかに狭窄した中間部１２０を介して連結することを特徴とする。【選択図】図１
0003208013.tif 000002
【実用新案登録請求の範囲】
【請求項１】
衣類の胸部の前裏に設ける袋状の収納部に収納される左右一体のカップ部を備え、前記カップ部は、なだらかに狭窄した中間部を介して連結することを特徴とする胸パッド。
【請求項２】
前記カップ部は、前記中間部とは反対側の外縁にスカラップ形の膨出部があることを特徴とする請求項１に記載の胸パッド。
【請求項３】
請求項１または２に記載の胸パッドを収納するための前記収納部は、前記前裏の中央に開口部を備えることを特徴とする衣類。
【請求項４】
水着であることを特徴とする請求項３に記載の衣類。
【考案の詳細な説明】
【技術分野】
【０００１】
本考案は、衣類に関するものであり、詳しくは、左右一体型胸パッドおよびその左右一体型胸パッドを備える衣類に関するものである。
【背景技術】
【０００２】
女性の胸部の整容を目的として用いられることが多い胸パッドは、左右が分離したタイプが主流である（特許文献１、２参照）。
【先行技術文献】
【特許文献】
【０００３】
【特許文献１】特開２０１６−０６９７６８号公報
【特許文献２】登録実用新案公報第３０２５５４５号公報
【考案の概要】
【考案が解決しようとする課題】
【０００４】
衣類への装着が容易である左右が分離した胸パッドは、丸みのある胸部の表面を覆う形状であるため、激しい運動によって、ずれやすいという課題があり、特に、水中での泳動によってずれることが多い。水着に装着した胸パッドがずれると、外観的にずれたことがわかってしまうという問題点がある。また、胸パッドがずれるにとどまらず、胸パッドを紛失するおそれもある。
【０００５】
そこで、本考案は、衣類への装着が容易でありながら、ずれを極力抑えることができる胸パッド、および、その胸パッドの装着を容易にする衣類を提供することを目的とする。
【課題を解決するための手段】
【０００６】
すなわち、本考案は前記した目的を達成せんとするもので、請求項１の手段の胸パッドは、衣類の胸部の前裏に設ける袋状の収納部に収納される左右一体のカップ部を備え、前記カップ部は、なだらかに狭窄した中間部を介して連結することを特徴とする。
【０００７】
また、請求項２の手段は、前記カップ部は、前記中間部とは反対側の外縁にスカラップ形の膨出部があることを特徴とする。
【０００８】
また、請求項３の手段は、前記胸パッドを収納するための前記収納部は、前記前裏の中央に開口部を備えることを特徴とする。
【０００９】
また、請求項４の手段は、前記衣類は、水着であることを特徴とする。
【考案の効果】
【００１０】
本考案の胸パッドは、衣類の袋状の収納部に収納したときに、一対のカップ部が左右一体に形成されているため、動きの自由度の制限が大きく、ずれが少ない。
【００１１】
また、本考案の胸パッドは、膨出部を設けることによって、広く脇の下方部分までを覆うことが可能であり、膨出部と、衣類の収納部との間に摩擦が生じることによって、ずれの発生を防止することが可能である。
【００１２】
また、本考案の衣類は、開口部が中央に一箇所であるため、収納部への胸パッドの挿入が容易であるとともに、胸パッドの脱落の心配がない。
【００１３】
また、本考案の衣類は、その構造が、胸パッドのずれが起こりやすい水着に適している。
【図面の簡単な説明】
【００１４】
【図１】本考案の胸パッドおよび衣類の使用状態の斜視図である。
【図２】本考案の胸パッドの正面図である。
【図３】本考案の胸パッドの背面図である。
【図４】本考案の胸パッドの平面図である。
【図５】本考案の胸パッドの底面図である。
【図６】本考案の胸パッドの右側面図である。
【図７】本考案の衣類の前裏の正面図である。
【考案を実施するための形態】
【実施例１】
【００１５】
以下、本考案について、実施するための形態を図面にしたがって説明する。
【００１６】
図１は、本考案の胸パッド１００および衣類２００の使用状態の斜視図である。胸パッド１００は、衣類２００の胸部の前裏に設ける袋状の収納部２１０に収納される左右一体のカップ部１１０を備える。カップ部１１０は、なだらかに狭窄した中間部１２０を介して連結する。
【００１７】
胸パッド１００は、内層がポリウレタンフォームで構成され、外層はポリエステルが塗布された、圧縮成形体である。胸パッド１００は、ポリウレタンフォームを素材とすることで、変形が容易でありながら、復元性が高い。また、ポリエステルのコーティングによって、耐久性、耐水性にも優れる。
【００１８】
図２は、胸パッド１００の正面図であり、図３は、胸パッド１００の背面図である。カップ部１１０は、胸部、特に乳房を全体的に覆う形状である。胸パッド１００は、カップ部１１０の中間部１２０から外側に緩やかな曲線を形成する。胸パッド１００の肩側の曲線は略直線を形成し、胸パッド１００の腹側の曲線の曲率は、肩側の曲線より大きい。また、カップ部１１０は、カップ部１１０から見て、中間部１２０とは反対側の外縁にスカラップ形の膨出部１３０を設ける。
【００１９】
図４は、胸パッド１００の平面図であり、図５は、胸パッド１００の底面図である。胸部を支持するために、腹側の曲線は、肩側の曲線より深い。
【００２０】
図６は、胸パッド１００の右側面図である。膨出部１３０は、弧が重なるいわゆるスカラップ形であるため、谷の部分が存在し、衣類２００の収納部２１０との間に摩擦が生じやすい。胸パッド１００は、膨出部１３０を設けることによって、広く脇の下方部分までを覆うことが可能であり、膨出部１３０と、衣類２００の収納部２１０との間に摩擦が生じることによって、ずれの発生を防止することが可能である。なお、膨出部１３０の形状は、弧の個数および径の大きさに制限はなく、波形または雲形であればよく、羽根を重ねたような形状であってもよい。
【００２１】
図７は、本考案の衣類２００の前裏の正面図である。本考案の衣類２００の収納部２１０は、前裏の中央に一箇所の開口部２２０を備える。
【００２２】
衣類２００は、開口部２２０が中央に一箇所であるため、収納部２１０への胸パッド１００の挿入が容易である。また、収納部２１０内で胸パッド１００が復元し、復元した胸パッド１００は、開口部２２０の通過が困難であるため、胸パッド１００の脱落の心配がない。また、胸パッド１００は、一対のカップ部１１０が左右一体に形成されているため、動きの自由度の制限が大きく、ずれが少ない。
【００２３】
本考案の胸パッド１００は、耐水性に優れる構造であるため、図１および図７に示すとおり、キャミソール型水着に適用することが好ましいが、これに限られるものではない。適用対象としては、上下セパレート型の水着およびブラジャーでもよく、レオタード、スリップ等にも適用可能であり、適用範囲は広い。
【符号の説明】
【００２４】
１００…胸パッド。
１１０…カップ部、１２０…中間部、１３０…膨出部。
２００…衣類。
２１０…収納部、２２０…開口部。
【図１】
0003208013.tif 000003
【図２】
0003208013.tif 000004
【図３】
0003208013.tif 000005
【図４】
0003208013.tif 000006
【図５】
0003208013.tif 000007
【図６】
0003208013.tif 000008
【図７】
0003208013.tif 000009